(57)【特許請求の範囲】
【請求項１】
日射を受けて直流電力を発電する太陽光発電部と、
前記太陽光発電部で発電された直流電力を交流電力に変換し商用系統に供給するパワーコンディショナと、
前記商用系統における異常を検出する検出部と、
前記パワーコンディショナおよび前記商用系統の間をつなぐ電路の開閉を行う開閉部と、
前記開閉部における開閉状態を取得する取得部と、
前記パワーコンディショナにおける運転状態を取得するとともに、前記運転状態を制御する制御部と、
前記制御部に対して前記パワーコンディショナの運転状態の変更を指示する制御信号を出力する遠隔操作部と、
が設けられ、
前記遠隔操作部は、前記検出部から前記商用系統における異常を示す信号が入力されると、前記商用系統における異常が解消しているか判定を行い、異常が解消されていないと判定された場合には、前記取得部から出力される信号に基づいて前記開閉部における開閉状態を判定し、
前記開閉部が閉じていると判定された場合には、前記商用系統における異常が解消しているか情報を取得する処理を行い、
前記商用系統における異常が解消されていないとの情報が取得された場合には、所定時間待機した後、前記商用系統における異常が解消しているか判定する処理を行うことを特徴とする太陽光発電システム。
【請求項２】
前記遠隔操作部は、前記開閉部が開いていると判定された場合、および、前記開閉部が閉じていると判定した後に前記商用系統における異常が解消されている情報が取得された場合の少なくとも一方において、作業員による点検を促す通知を出力することを特徴とする請求項１記載の太陽光発電システム。
【請求項３】
前記遠隔操作部は、前記商用系統における異常が解消しているか情報を取得する処理として、前記遠隔操作部に前記異常が解消しているかを示す情報の入力を促す通知処理を行うことを特徴とする請求項１または２に記載の太陽光発電システム。
【請求項４】
前記遠隔操作部は、前記商用系統における異常が解消していると判定された場合、少なくとも、前記制御部から取得される前記パワーコンディショナの運転状態、および、前記検出部から取得される信号に基づいて、前記パワーコンディショナにおける前記直流電力を前記交流電力に変換する運転の再開が可能か判定する処理を行うことを特徴とする請求項１から３のいずれか１項に記載の太陽光発電システム。
【請求項５】
日射を受けて直流電力を発電する太陽光発電部で発電された直流電力を交流電力に変換し商用系統に供給するパワーコンディショナにおける運転状態を取得するとともに、前記運転状態を制御する制御部に対して前記パワーコンディショナの運転状態の変更を指示する制御信号を出力する遠隔操作装置であって、
前記商用系統における異常を検出する検出部から前記商用系統における異常を示す信号が入力されると、前記商用系統における異常が解消しているか判定を行い、異常が解消されていないと判定された場合には、前記パワーコンディショナおよび前記商用系統の間をつなぐ電路の開閉を行う開閉部における開閉状態を取得する取得部から出力される信号に基づいて前記開閉部における開閉状態を判定し、
前記開閉部が閉じていると判定された場合には、前記商用系統における異常が解消しているか情報を取得する処理を行い、
前記商用系統における異常が解消されていないとの情報が取得された場合には、所定時間待機した後、前記商用系統における異常が解消しているか判定する処理を行うことを特徴とする遠隔操作装置。
【発明の詳細な説明】
【技術分野】
【０００１】
本発明は、太陽光発電システムおよび遠隔操作装置に関する。
【背景技術】
【０００２】
太陽光発電システムにおいては、発電した直流電力をパワーコンディショナ等において交流電力に変換して商用系統に連系させる連系モードや、発電した電力を自立運転手段に供給する自立運転モードや、パワーコンディショナ等における変換を停止する運転停止モードなど、複数のモードを切り替えて運転する技術が知られている。
【０００３】
これらのモード切り替えは、一般的には、太陽光発電システムの発電サイトに設置されたパワーコンディショナ等に設けられた切り替えスイッチによって行われる。その一方で、遠隔通信手段を介して制御信号の送受信が可能な遠隔地の切り替え手段によってもモード切り替えを可能とする技術も提案されている（例えば、特許文献１参照。）。
【０００４】
上述の特許文献１では、発電サイトと、遠隔地の二か所に切り替えスイッチが設けられるため、例えば、太陽光発電システムを停止させた状態で作業員が発電サイトで作業している状況において、遠隔地から運転開始操作がされる等、適切でない操作が行われることを防止する技術が開示されている。
【先行技術文献】
【特許文献】
【０００５】
【特許文献１】特開２０１３−２４３８６２号公報
【発明の概要】
【発明が解決しようとする課題】
【０００６】
上述のように太陽光発電システムが停止する状況としては、例えば、作業員が発電サイトで作業を行うために停止させる場合（言い換えると、内部要因で停止させる場合）の他に、商用系統の異常により太陽光発電システムが停止する場合（言い換えると、外部要因で停止される場合）が考えられる。
【０００７】
内部要因で太陽光発電システムの運転が停止された場合と比較して、外部要因で停止した場合には、運転再開に要する作業が異なるため、運転停止の原因が内部要因であるのか、外部要因であるのか、オペレータが知る必要があった。しかしながら、上述の特許文献１に開示された技術等では、遠隔地にいるオペレータが運転停止の原因を知ることは難しいという問題があった。
【０００８】
本発明は、上記の課題を解決するためになされたものであって、運転停止の要因が太陽光発電システムの外部にあるのか、内部にあるのか判別を容易にすることができる太陽光発電システムおよび遠隔操作装置を提供することを目的とする。
【課題を解決するための手段】
【０００９】
上記目的を達成するために、本発明は、以下の手段を提供する。
本発明の太陽光発電システムは、日射を受けて直流電力を発電する太陽光発電部と、前記太陽光発電部で発電された直流電力を交流電力に変換し商用系統に供給するパワーコンディショナと、前記商用系統における異常を検出する検出部と、前記パワーコンディショナおよび前記商用系統の間をつなぐ電路の開閉を行う開閉部と、前記開閉部における開閉状態を取得する取得部と、前記パワーコンディショナにおける運転状態を取得するとともに、前記運転状態を制御する制御部と、前記制御部に対して前記パワーコンディショナの運転状態の変更を指示する制御信号を出力する遠隔操作部と、が設けられ、前記遠隔操作部は、前記検出部から前記商用系統における異常を示す信号が入力されると、前記商用系統における異常が解消しているか判定を行い、異常が解消されていないと判定された場合には、前記取得部から出力される信号に基づいて前記開閉部における開閉状態を判定し、前記開閉部が閉じていると判定された場合には、前記商用系統における異常が解消しているか情報を取得する処理を行い、前記商用系統における異常が解消されていないとの情報が取得された場合には、所定時間待機した後、前記商用系統における異常が解消しているか判定する処理を行うことを特徴とする。
【００１０】
本発明の遠隔操作装置は、日射を受けて直流電力を発電する太陽光発電部で発電された直流電力を交流電力に変換し商用系統に供給するパワーコンディショナにおける運転状態を取得するとともに、前記運転状態を制御する制御部に対して前記パワーコンディショナの運転状態の変更を指示する制御信号を出力する遠隔操作装置であって、前記商用系統における異常を検出する検出部から前記商用系統における異常を示す信号が入力されると、前記商用系統における異常が解消しているか判定を行い、異常が解消されていないと判定された場合には、前記パワーコンディショナおよび前記商用系統の間をつなぐ電路の開閉を行う開閉部における開閉状態を取得する取得部から出力される信号に基づいて前記開閉部における開閉状態を判定し、前記開閉部が閉じていると判定された場合には、前記商用系統における異常が解消しているか情報を取得する処理を行い、前記商用系統における異常が解消されていないとの情報が取得された場合には、所定時間待機した後、前記商用系統における異常が解消しているか判定する処理を行うことを特徴とする。
【００１１】
本発明の太陽光発電システムおよび遠隔操作装置によれば、少なくとも、商用系統における異常が解消しているかの判定、および、開閉部における開閉状態の判定を行うことにより、パワーコンディショナの運転停止の要因が太陽光発電システムの外部にあるのか、内部にあるのか判別を容易にすることができる。
【００１２】
上記発明の太陽光発電システムにおいて、前記遠隔操作部は、前記開閉部が開いていると判定された場合、および、前記開閉部が閉じていると判定した後に前記商用系統における異常が解消されている情報が取得された場合の少なくとも一方において、作業員による点検を促す通知を出力することが好ましい。
【００１３】
このように、太陽光発電システム内での故障が疑われる際に、遠隔操作部から作業員による点検を促す通知を出力することにより、パワーコンディショナの運転停止の解除を行いやすくなる。
【００１４】
上記発明の太陽光発電システムにおいて、前記遠隔操作部は、前記商用系統における異常が解消しているか情報を取得する処理として、前記遠隔操作部に前記異常が解消しているかを示す情報の入力を促す通知処理を行うことが好ましい。
【００１５】
このように、商用系統における異常が解消しているかを示す情報の入力を促す通知を行うことにより、商用系統の異常が継続している場合に、パワーコンディショナの運転停止が解除されることを抑制できる。
【００１６】
上記発明の太陽光発電システムにおいて、前記遠隔操作部は、前記商用系統における異常が解消していると判定された場合、少なくとも、前記制御部から取得される前記パワーコンディショナの運転状態、および、前記検出部から取得される信号に基づいて、前記パワーコンディショナにおける前記直流電力を前記交流電力に変換する運転の再開が可能か判定する処理を行うことが好ましい。
【００１７】
このように、商用系統の異常が解消しているとの判定の後に、パワーコンディショナの運転再開が可能か判定することにより、商用系統の異常が継続している場合に、パワーコンディショナの運転停止が解除されることを抑制できる。
【発明の効果】
【００１８】
本発明の太陽光発電システムおよび遠隔操作装置によれば、少なくとも、商用系統における異常が解消しているかの判定、および、開閉部における開閉状態の判定を行うため、運転停止の要因が太陽光発電システムの外部にあるのか、内部にあるのか判別を容易にすることができるという効果を奏する。
【図面の簡単な説明】
【００１９】
【図１】本発明の太陽光発電システムの一実施形態を説明する摸式図である。
【図２】図１の太陽光発電システムの構成を説明するブロック図である。
【図３】系統異常による停止後に復帰を行う際の制御内容を説明するフローチャートである。
【図４】系統異常による停止後に復帰を行う際の制御内容を説明するフローチャートである。
【発明を実施するための形態】
【００２０】
この発明の一実施形態に係る太陽光発電システム１について、図１から図４を参照しながら説明する。本実施形態では太陽光発電システム１を、図１に示すように、発電を行い商用系統５に発電電力を供給する太陽光発電所２の監視・制御を遠隔地に設置された遠隔拠点３から行う例に適用して説明する。
【００２１】
太陽光発電システム１は、発電電力を商用系統５に供給する太陽光発電所２と、太陽光発電所２を遠隔地から監視・制御する遠隔拠点３と、から主に構成されている。太陽光発電所２には、図１および図２に示すように、太陽光発電部１１と、パワーコンディショナ１２（以下「ＰＣＳ１２」とも表記する。）と、受電装置１３と、連系検出部（検出部）１５と、構内検出部（検出部）１６と、制御部１７と、が主に設けられている。
【００２２】
太陽光発電部１１は、太陽の日射を受けて直流電力を発電するものである。太陽光発電部１１としては公知の太陽電池パネルを用いることができ、その構造や形式や設置方法などを限定するものではない。
【００２３】
パワーコンディショナ１２は、太陽光発電部１１により発電された直流電力を、商用系統５に供給可能な交流電力に変換するものである。変換された交流電力は商用系統５に供給される。パワーコンディショナ１２における電力の変換回路や変換方法としては、公知の回路や方法を用いることができ、特に限定するものではない。
【００２４】
パワーコンディショナ１２には、太陽光発電部１１から入力される直流電流に応じて電力変換を行う自動運転モードと、商用系統５に異常が発生した場合に電力の変換を停止する異常停止モードと、が設けられている。自動運転モード、異常停止モードの切り替えは後述する制御部１７から入力される制御信号等により行われる。
【００２５】
パワーコンディショナ１２が自動運転モードで運転されている場合には、例えば、夜間や雨天などのように日射がない、または、少ない状況で太陽光発電部１１において発電された直流電力の入力がない、または、ないと見なすことができるときには、電力の変換が行われない（言い換えると停止する。）。晴天などのように日射がある状況で太陽光発電部１１において発電された直流電力の入力があるときには、入力された直流電力に応じた電力変換が行われる。
【００２６】
パワーコンディショナ１２の運転状態が異常停止モードである場合には、電力の変換は行われないとともに、異常停止モードを解除しない限り上述の自動運転モードへのモード切り替えが許可されないようになっている。つまり、異常停止モードから自動運転モードへの切り替えは、異常停止モード→異常停止モードの解除→自動運転モードの順で行われる。
【００２７】
受電装置１３は、パワーコンディショナ１２と商用系統５との間に配置される電気工作物であり、開閉器（開閉部）１４（以下「ＰＡＳ１４」とも表記する。）が設けられたものである。開閉器１４は、商用系統５で発生した異常が太陽光発電所２に影響を及ぼすことや、太陽光発電所２で発生した異常が商用系統５に影響を及ぼすことを抑制するものである。開閉器１４における地絡発生や、過電流断発生など情報については、例えば、開閉器１４から遠隔操作装置２１に出力されるように構成されている。
【００２８】
連系検出部１５は、パワーコンディショナ１２から商用系統５までの間における電力を検出するものであり、検出した電力に関する情報を後述する遠隔操作装置２１へ出力するものである。構内検出部１６は、太陽光発電部１１からパワーコンディショナ１２までの間における電力を検出するものであり、検出した電力に関する情報を後述する遠隔操作装置２１へ出力するものである。
【００２９】
なお、連系検出部１５および構内検出部１６としては、公知の電力検出手段を用いることができ、特に検出方法を限定するものではないし、配置される位置を限定するものでもない。
【００３０】
制御部１７は、パワーコンディショナ１２の運転状態を取得するとともに、パワーコンディショナ１２の運転状態を制御するものである。制御部１７は、ＣＰＵ（中央演算処理ユニット）、ＲＯＭ、ＲＡＭ、入出力インタフェース等を有するコンピュータシステムである。ＲＯＭ等に記憶されている制御プログラムは、ＣＰＵを少なくともパワーコンディショナ１２の運転状態を制御する処理を行うものとして機能させるものであり、入出力インタフェース等を少なくともパワーコンディショナ１２の運転状態を取得したり、パワーコンディショナ１２の運転状態を制御する制御信号を出力したりするものとして機能させるものである。
【００３１】
遠隔拠点３は、太陽光発電所２から離れた遠隔地に設けられた太陽光発電所２の監視・制御を行う遠隔操作装置（遠隔操作部）２１が設置された拠点である。遠隔拠点３では、複数の太陽光発電所２の監視・制御が可能とされている。本実施形態では、説明を容易にするために、一つの太陽光発電所２を監視・制御する例に適用して説明する。
【００３２】
遠隔操作装置２１は、少なくともに、制御部１７に対してパワーコンディショナ１２の運転状態の変更を指示する制御信号を出力するものである。遠隔操作装置２１は、図２に示すように、ＣＰＵ（中央演算処理ユニット）、ＲＯＭ、ＲＡＭ、入出力インタフェース等を有するコンピュータシステムである。遠隔操作装置２１には、オペレータにパワーコンディショナ１２の運転状態などを通知する液晶ディスプレイなどの表示部２５や、オペレータからの指示が入力されるキーボードなどの入力部２６などが、更に設けられている。
【００３３】
ＲＯＭ等に記憶されている制御プログラムは、ＣＰＵを少なくともパワーコンディショナ１２の運転状態の変更を指示する処理を行う演算部２２として機能させるものであり、入出力インタフェース等を少なくとも制御部１７からパワーコンディショナ１２の運転状態を取得したり、パワーコンディショナ１２の運転状態の変更を指示する制御信号を制御部１７へ出力したり、開閉器１４の開閉状態を取得する通信部（取得部）２３として機能させるものである。制御部１７および遠隔操作装置２１におけるパワーコンディショナ１２の運転状態制御の詳細については後述する。
【００３４】
次に、上記の構成からなる太陽光発電システム１における制御、特に、商用系統５の異常により停止したパワーコンディショナ１２の復帰制御について図３および図４などを参照しながら説明する。
【００３５】
図３に示すように、商用系統５において送電網等の不具合などが発生し、太陽光発電所２で発電した電力を商用系統５に供給できない状況（以下、「系統異常」とも表記する。）が発生すると（系統異常発生ステップ：Ｓ１１）、パワーコンディショナ１２の運転状態は自動運転モードから異常停止モードに切り替えられ、電力の変換が停止される。なお、パワーコンディショナ１２における自動運転モードから異常停止モードへの切り替え方法については、公知の方法を用いることができ、特に限定するものではない。
【００３６】
パワーコンディショナ１２の運転状態が異常停止モードに切り替わりは、制御部１７により取得される。制御部１７は、取得したパワーコンディショナ１２の運転状態を通知する信号を出力し、この信号は遠隔操作装置２１に入力される。
【００３７】
その後、遠隔操作装置２１は、停電警報が復旧したか否かの判定処理を行う（復旧判定ステップ：Ｓ１２）。停電警報の復旧は、例えば、連系検出部１５および構内検出部１６の検出信号に基づいて判断する方法を挙げることができる。停電警報が復旧していないと判定された場合（ＮＯの場合）には、遠隔操作装置２１は、開閉器１４から出力される情報に基づいて、開閉器１４の地絡が発生しているか、過電流断が発生しているか否かの判定処理を行う（ＰＡＳ判定ステップ：Ｓ１３）。開閉器１４の地絡が発生している、または、過電流断が発生していると判定された場合（ＹＥＳの場合）には、遠隔操作装置２１から県域支店４に、太陽光発電所２へ作業員を派遣することを指示する連絡が送られる（現地駆け付けステップ：Ｓ１４）。なお、当該連絡は、遠隔操作装置２１から自動的に送られてもよいし、遠隔操作装置２１が遠隔拠点３のスタッフに連絡を促す通知を行い、通知を受けたスタップが連絡を行ってもよい。
【００３８】
Ｓ１４の判定において、開閉器１４の地絡が発生していない、かつ、過電流断が発生していないと判定された場合（ＮＯの場合）には、遠隔操作装置２１は電力会社に停電状況を確認する処理を行い（停電状況確認ステップ：Ｓ１５）、電力会社に確認した状況に基づいて、商用系統５は復旧しているか否かを判定する処理を行う（復旧確認判定ステップ：Ｓ１６）。
【００３９】
商用系統５が復旧していると判定された場合（ＹＥＳの場合）には、遠隔操作装置２１から県域支店４に、太陽光発電所２へ作業員を派遣することを指示する連絡が送られる（現地駆け付けステップ：Ｓ１７）。つまり、商用系統５が復旧していても、停電警報が復旧していない場合には、開閉器１４が開放している可能性が高いと考えられる。そのため、太陽光発電所２に作業員を派遣し、開閉器１４の確認作業が行われる。
【００４０】
商用系統５が復旧していないと判定された場合（ＮＯの場合）には、遠隔操作装置２１は復電予定時間まで待機する処理を行う（待機ステップ：Ｓ１８）。さらに、遠隔操作装置２１は県域支店４に復電予定時間まで待機する処理を行うことを通知する処理も行う。県域支店４は通知された待機に関する情報を受領する（受領ステップ：Ｓ１９）。復電予定時間まで待機した後、遠隔操作装置２１は再びＳ１２に戻り、上述の処理を繰り返し行う。
【００４１】
初回のＳ１２の判定処理、または、複数回目のＳ１２の判定処理において停電警報が復旧していると判定された場合（ＹＥＳの場合）には、遠隔操作装置２１は、図４に示すようにパワーコンディショナ１２が遠隔起動可能か否かを判定する処理を行う（遠隔起動判定ステップ：Ｓ２１）。
【００４２】
ここで、遠隔起動が可能か否かは、パワーコンディショナ１２における自動運転異常および系統異常を除き、他の機能が復旧しているか否かに基づいて判定される。当該判定には、例えば、制御部１７から出力されるパワーコンディショナ１２の状態に基づいて行われる。遠隔起動が不可能と判定された場合（ＮＯの場合）には、遠隔操作装置２１から県域支店４に、太陽光発電所２へ作業員を派遣することを指示する連絡が送られる（現地駆け付けステップ：Ｓ２２）。
【００４３】
遠隔起動が可能と判定された場合（ＹＥＳの場合）には、遠隔操作装置２１から電力会社に、商用系統５に発電した電力を供給する系統連系の了承を求める処理を行う（連系了承ステップ：Ｓ２３）。なお、当該了承を求める処理は、遠隔操作装置２１により自動的に行われてもよいし、遠隔操作装置２１が遠隔拠点３のスタッフに連絡を促す通知を行い、通知を受けたスタップが了承を求める処理を行ってもよい。
【００４４】
遠隔操作装置２１は、電力会社から系統連系の了承を受領すると（了承受領ステップ：Ｓ２４）、パワーコンディショナ１２のタイプを判別する処理を行う（タイプ判別ステップ：Ｓ２５）。本実施形態では、パワーコンディショナ１２の異常停止モードを解除する際に、遠隔操作装置２１からの解除指令が必要な外部解除タイプか、パワーコンディショナ１２自身で異常停止モードの解除が可能な自立解除タイプかを、判定する処理が行われる。外部解除タイプとしては、株式会社日立製作所製のパワーコンディショナ１２を例示することができる。自立解除タイプとしては、東芝三菱電機産業システム株式会社（ＴＭＥＩＣ）製のパワーコンディショナ１２を例示することができる。
【００４５】
パワーコンディショナ１２が外部解除タイプ、例えば、株式会社日立製作所製のパワーコンディショナ１２と判定された場合（ＹＥＳの場合）には、遠隔操作装置２１は、パワーコンディショナ１２における異常停止モードを解除する制御信号を出力する処理を行う（異常リセット指令ステップ：Ｓ２６）。
【００４６】
その後、遠隔操作装置２１は、異常停止モードの解除により状態が復帰したか否かを確認する処理を行う（復帰確認ステップ：Ｓ２７）。具体的には、パワーコンディショナ１２における系統異常が解消されて復帰しているか否かの確認が行われる。状態が復帰していないと判定された場合（ＮＯの場合）には、遠隔操作装置２１から県域支店４に、太陽光発電所２へ作業員を派遣することを指示する連絡が送られる（現地駆け付けステップ：Ｓ２８）。
【００４７】
その一方で、Ｓ２７の処理で状態が復帰していると判定された場合（ＹＥＳの場合）、および、Ｓ２７の処理でパワーコンディショナ１２が自立解除タイプと判定された場合（ＮＯの場合）には、遠隔操作装置２１は、パワーコンディショナ１２の運転状態を自動運転モードに切り替える制御信号を出力する処理を行う（ＰＣＳ運転指令ステップ：Ｓ２９）。
【００４８】
その後、遠隔操作装置２１は、自動運転モードへの切り替えにより状態が復帰したか否かを確認する処理を行う（復帰確認ステップ：Ｓ３０）。具体的には、パワーコンディショナ１２における系統異常が解消されて復帰しているか否か、および、パワーコンディショナ１２の出力が正常か否かの確認が行われる。なお、Ｓ３０の判定処理のタイミングが、夜間などのように太陽光発電部１１よる発電が行われない時間帯となった場合には、翌朝のように太陽光発電部１１による発電が行われる時間まで待機した上で、Ｓ３０の判定処理が行われる。
【００４９】
状態が復帰していないと判定された場合（ＮＯの場合）、具体的には、パワーコンディショナ１２における系統異常が解消されて復帰していないと判定された場合、または、パワーコンディショナ１２の出力が正常でないと判定された場合には、遠隔操作装置２１から県域支店４に、太陽光発電所２へ作業員を派遣することを指示する連絡が送られる（現地駆け付けステップ：Ｓ３１）。
【００５０】
状態が復帰していると判定された場合（ＹＥＳの場合）には、具体的には、パワーコンディショナ１２における系統異常が解消されて復帰していると判定された場合、または、パワーコンディショナ１２の出力が正常であると判定された場合には、遠隔操作装置２１から県域支店４に、対応が完了したことを知らせる報告が送られ（完了報告ステップ：Ｓ３２）、県域支店４は、対応が完了したことを知らせる報告を受領する（報告受領ステップ：Ｓ３３）。
【００５１】
なお、当該報告処理は、遠隔操作装置２１により自動的に行われてもよいし、遠隔操作装置２１が遠隔拠点３のスタッフに報告を促す通知を行い、通知を受けたスタップが報告処理を行ってもよい。
【００５２】
上記の構成の太陽光発電システム１によれば、少なくとも、Ｓ１２において商用系統５における異常が解消しているかの判定処理を行うとともに、Ｓ１３において開閉器１４における開閉状態の判定処理を行うことにより、パワーコンディショナ１２の運転停止の要因が太陽光発電システム１の外部にあるのか、内部にあるのか判別を容易にすることができる。
【００５３】
太陽光発電システム１内での故障が疑われる際に、Ｓ１４のように遠隔操作装置２１から作業員による点検を促す通知を出力する処理を行うことにより、パワーコンディショナ１２の運転停止の解除を行いやすくなる。
【００５４】
Ｓ１５やＳ１６のように商用系統５における異常が解消しているかを示す情報の入力を促す処理を行うことにより、商用系統５の異常が継続している場合に、パワーコンディショナ１２の運転停止が解除されることを抑制できる。
【００５５】
商用系統５の異常が解消しているとの判定処理が行われた後に、Ｓ２１のようにパワーコンディショナ１２の運転再開が可能か判定する処理を行うことにより、商用系統５の異常が継続している場合に、パワーコンディショナ１２の運転停止が解除されることを抑制できる。
【００５６】
なお、本発明の技術範囲は上記実施形態に限定されるものではなく、本発明の趣旨を逸脱しない範囲において種々の変更を加えることが可能である。例えば、上記の実施の形態においては、遠隔操作装置２１において運転停止の要因が太陽光発電システム１の外部にあるのか内部にあるのか判別してもよいし、太陽光発電所２に隣接して配置された操作装置等において判別してもよく、特に限定するものではない。
【符号の説明】
【００５７】
１…太陽光発電システム、５…商用系統、１１…太陽光発電部、１２…パワーコンディショナ、１４…開閉器（開閉部）、１５…連系検出部（検出部）、１６…構内検出部（検出部）、１７…制御部、２１…遠隔操作装置（遠隔操作部）、２３…通信部（取得部）
【図１】
0006339531.tif 000002
【図２】
0006339531.tif 000003
【図３】
0006339531.tif 000004
【図４】
0006339531.tif 000005